(57)【要約】【課題】袋体緩衝用の使用部品点数を少なくし、組み立て作業も簡単でコストダウンを図るようにした包装箱を提供する。【解決手段】包装箱本体１の内部には底板形成用のフラップ４，５上に載るように段ボール製の緩衝体９がセットされ、この緩衝体９は底板形成用のフラップ４，５上に載る底部受け板１０と、この底部受け板１０に載り互いに直交する方向に向くように組み合わされた一方の一対の仕切板１１および他方の多数枚の仕切板１２と、この多数枚の仕切板１２の幅方向中央部においてこの仕切板１２の上端に係止するように載る上部保護板１３とからなり、一対の仕切板１１と多数枚の仕切板１２とで包装箱本体１内に形成される多数の区画空間内に挿入された液収納袋体１４の上端および下端を上蓋形成用のフラップ６，７および底板形成用のフラップ４，５との間に空間が形成されるように上部保護板１３および底部受け板１０とで上下から挟むように構成した。【選択図】図１３
2010228799.tif 000002
【特許請求の範囲】
【請求項１】
平面形状が四角形の段ボール製の包装箱本体内に液収納袋体を起立状態で並べて挿入するようにした包装箱であって、包装箱本体の内部には底板形成用のフラップ上に載るように段ボール製の緩衝体がセットされ、この緩衝体は底板形成用のフラップ上に載る底部受け板と、この底部受け板に載り互いに直交する方向に向くように組み合わされた一方の一対の仕切板および他方の多数枚の仕切板と、この多数枚の仕切板の幅方向中央部においてこの仕切板の上端に係止するように載る上部保護板とからなり、一対の仕切板と多数枚の仕切板とで包装箱本体内に形成される多数の区画空間内に挿入された液収納袋体の上端および下端を上蓋形成用のフラップおよび底板形成用のフラップとの間に空間が形成されるように上部保護板および底部受け板とで上下から挟むように構成したことを特徴とする包装箱。
【請求項２】
底部受け板は液収納袋体の下端を受けるべく折り曲げにより形成される２本の山型部を備え、一方の仕切板および他方の仕切板はフラットであり、上部保護板は折り曲げにより正面形状門型に形成されてなることを特徴とする請求項１記載の包装箱。
【発明の詳細な説明】
【技術分野】
【０００１】
本発明は、例えば人工透析用の補液を収納する袋体を安定良く収納できる包装箱に関するものである。
【背景技術】
【０００２】
従来のこの種包装箱としては、例えば特許文献１に開示されているような包装箱が知られている。この包装箱は袋体を収納するのに包装箱の中に、一対の仕切板本体、多数枚の前後仕切板、一対の間隔保持板、蓋部材が設けられる。
【０００３】
そして、これら一対の仕切板本体、多数枚の前後仕切板、一対の間隔保持板、蓋部材を包装箱の中にセットした状態で液体が入れられた袋体が包装箱の中に収納されるものであり、包装箱の中で袋体は胴部が前記仕切板本体と前後仕切板とで囲まれ、また両側底部が前記仕切板本体の断面三角形の筒体で受けられて中央部の下側に空間を作った状態で底部全体が包装箱の底部から浮き上がり、且つ袋体の上端は前記蓋部材で押さえられて包装箱の天部との間に空間が形成されるようになり、袋体が包装箱の外部からの衝撃などの影響を受けにくくしてある。
【先行技術文献】
【特許文献】
【０００４】
【特許文献１】特開２００５−１９３９３８号公報
【発明の概要】
【発明が解決しようとする課題】
【０００５】
上記特許文献１に開示されている包装箱の構成では、袋体を保護するのに一対の仕切板本体、多数枚の前後仕切板、一対の間隔保持板、蓋部材を使用する必要があり、袋体緩衝用の使用部品点数が多く、しかも前記一対の仕切板本体自体の組み立て、蓋部材自体の組み立てが必要となり、材料費や組み立て作業費などを考えるとコストアップになるという課題があった。
【０００６】
本発明の目的は、このような課題を解決するものであり、袋体緩衝用の使用部品点数を少なくし、組み立て作業も簡単でコストダウンを図るようにした包装箱を提供することにある。
【課題を解決するための手段】
【０００７】
本発明の請求項１に記載の包装箱は、平面形状が四角形の段ボール製の包装箱本体内に液収納袋体を起立状態で並べて挿入するようにした包装箱であって、包装箱本体の内部には底板形成用のフラップ上に載るように段ボール製の緩衝体がセットされ、この緩衝体は底板形成用のフラップ上に載る底部受け板と、この底部受け板に載り互いに直交する方向に向くように組み合わされた一方の一対の仕切板および他方の多数枚の仕切板と、この多数枚の仕切板の幅方向中央部においてこの仕切板の上端に係止するように載る上部保護板とからなり、一対の仕切板と多数枚の仕切板とで包装箱本体内に形成される多数の区画空間内に挿入された液収納袋体の上端および下端を上蓋形成用のフラップおよび底板形成用のフラップとの間に空間が形成されるように上部保護板および底部受け板とで上下から挟むように構成したことを特徴とする。
【０００８】
請求項２に記載の包装箱は、底部受け板は液収納袋体の下端を受けるべく折り曲げにより形成される２本の山型部を備え、一方の仕切板および他方の仕切板はフラットであり、上部保護板は折り曲げにより正面形状門型に形成されてなることを特徴とする。
【発明の効果】
【０００９】
以上のように、本発明の包装箱は、包装箱本体内に液収納袋体を外部からの衝撃などの影響を受けにくくするために上端および下端を包装箱本体の上蓋形成用のフラップおよび底板形成用のフラップとの間に空間が形成されるように起立状態で並べて挿入するために、包装箱本体の内部で使用される緩衝体は底部受け板と、一方の一対の仕切板と、この一対の仕切板と組み合わされる他方の多数枚の仕切板と、上部保護板であり、各板材自体複雑な組み立てが不要であり、全体として緩衝体の使用部品点数が少なく、組み立て作業も簡単でコストダウンを図ることができる。また、医療従事者であっても容易に分解作業を行なうことができ、廃棄処分を容易に行なうことができる。
【図面の簡単な説明】
【００１０】
【図１】本発明の一実施の形態における包装箱本体の展開図である。
【図２】同底部受け板の展開図である。
【図３】同一方の仕切板の正面図である。
【図４】同他方の仕切板の正面図である。
【図５】同上部保護板の展開図である。
【図６】同底部受け板を包装箱本体の中にセットする状態を示す斜視図である。
【図７】同一方の仕切板と他方の仕切板を組み合わせた状態を示す斜視図である。
【図８】同底部受け板を包装箱本体の中にセットした状態を示す一部切り欠き斜視図である。
【図９】同組み合わされた仕切板を底部受け板の上から包装箱本体の中にセットした状態を示す一部切り欠き斜視図である。
【図１０】同包装箱本体の中に液収納袋体を並ぶように挿入した状態を示す一部切り欠き斜視図である。
【図１１】同包装箱本体の中に挿入された液収納袋体の上から上部保護板が被せられた状態を示す一部切り欠き斜視図である。
【図１２】同上蓋形成用のフラップが閉じられた包装完了状態を示す斜視図である。
【図１３】同包装完了状態における縦断面図である。
【発明を実施するための形態】
【００１１】
以下、本発明の一実施の形態を、図１〜図１３を用いて具体的に説明する。
図において、１は平面形状が四角形（図面に示す実施の形態では長方形）の段ボール製の包装箱本体で、この包装箱本体１は１組の長辺側の対向側板２，２と、１組の短辺側の対向側板３，３と、これら長辺側の対向側板２，２および短辺側の対向側板３，３の下端に連設された底板形成用のフラップ４，４および５，５と、長辺側の対向側板２，２および短辺側の対向側板３，３の上端に連設された上蓋形成用のフラップ６，６および７，７とから平面形状が長方形に形成されている。そして、この包装箱本体１は先に底板形成用のフラップ４，４が組み立てられるのであり、そのとき短辺側の対向側板３，３の下端に連設された底板形成用のフラップ５，５が先に折り曲げられ、次にこの底板形成用のフラップ５，５に重なるように長辺側の対向側板２，２の下端に連設された底板形成用のフラップ４，４を折り曲げ、底板形成用のフラップ４，４の突き合わせ端面を封緘テープ８で閉じておくことにより包装箱本体１に対し被収納物である液収納袋体を出し入れ可能な状態となる。
【００１２】
９は前記包装箱本体１内において底板形成用のフラップ４，５上に載るように、セットされる段ボール製の緩衝体で、この緩衝体９は底板形成用のフラップ４，５上に載る底部受け板１０と、この底部受け板１０の上で長辺側の対向側板２，２の内面に沿うように挿入される一方の一対の仕切板１１，１１と、この一対の仕切板１１，１１に対し直交する方向に向くように一対の仕切板１１，１１と係止し短辺側の対向側板３，３と平行に等間隔おきに挿入される他方の多数枚の仕切板１２，…と、この多数枚の仕切板１２，…の幅方向中央部において仕切板１２，…の上に載り包装箱本体１の長辺側の対向側板２，２と平行に位置する上部保護板１３とからなり、一対の仕切板１１，１１と多数枚の仕切板１２，…とで包装箱本体１内に形成される多数の区画空間内に挿入された液収納袋体１４の下端を前記底部受け板１０上で受け、液収納袋体１４の上端を前記上部保護板１３で保護するように構成されている。
【００１３】
さらに詳しくは、前記底部受け板１０は幅方向中央部で短辺側の対向側板３，３と平行に等間隔おきに前記多数枚の各仕切板１２の下端が嵌入するスリット１５，…が形成され、またこのスリット１５，…形成部を両側から挟むように複数本の折り曲げ線１６ａ，１６ｂ，１６ｃにより上方に突出する山型部１７，１７が長辺側の対向側板２，２に沿って形成されるように構成されている。そして、各スリット１５の両端は底部受け板１０の幅方向中央部に近い側の折り曲げ線１６ａと中央の折り曲げ線１６ｂとの間の板部まで及んでいる。このような底部受け板１０は展開状態から前記折り曲げ線１６ａ，１６ｂ，１６ｃにより山型部１７，１７を形成し、かかる状態で包装箱本体１の中に入れられ、底板形成用のフラップ４，５の上に載せられる。
【００１４】
次に、包装箱本体１の外で前記一対の仕切板１１，１１と多数枚の仕切板１２，…を組み合わせるのであるが、一対の各仕切板１１には前記スリット１５，…間の間隔、つまり前記多数枚の各仕切板１２の配設間隔に合わせて等間隔おきにスリット１８が下端より高さ方向中央部との間で形成されている。
【００１５】
また、前記多数枚の各仕切板１２は下端中央部に前記スリット１５に嵌入する差し込み片１９が形成されるとともにこの差し込み片１９の両側に前記山型部１７，１７に上から被さる凹部２０，２０が形成され、また各仕切板１２には両側近傍の位置で上端より高さ方向中央部との間で前記一対の各仕切板１１のスリット１８に係止するスリット２１が形成されている。さらに、各仕切板１２の上端には両側間の幅方向中央部に深さの浅い溝２２，２２が２箇所形成されている。
【００１６】
かかる構成の一対の仕切板１１，１１と多数枚の仕切板１２，…を組み合わせる場合、一対の仕切板１１，１１のスリット１８と多数枚の各仕切板１２のスリット２１とを互いに係止させることにより、互いに平行な２枚の仕切板１１，１１と、この仕切板１１，１１に対し直交する方向に向く互いに平行な多数枚の仕切板１２，…が噛み合った状態で組み合わされ、一対の仕切板１１，１１が包装箱本体１の中に長辺側の対向側板２，２の内面に沿うように挿入される。このとき、前記多数枚の仕切板１２，…の下端の差し込み片１９は前記底部受け板１０のスリット１５に嵌入するように包装箱本体１の中に多数枚の仕切板１２，…が挿入されることにより、互いに組み合わさった一対の仕切板１１，１１と多数枚の仕切板１２，…は包装箱本体１の中でがたつくようなことなく、安定状態を保持できる。
【００１７】
ところで、前記上部保護板１３は包装箱本体１の長辺の方向に向く天板部２３と、この天板部２３の長辺側に連設され下向きに折れ曲がる下向き片２４，２４とにより正面形状門型を呈し、前記下向き片２４，２４には等間隔おきに前記仕切板１２の上端の溝２２，２２に係止する溝２５，２５が形成されている。
【００１８】
上記の緩衝体９がセットされる包装箱本体１の中に液収納袋体１４を挿入する場合は、前記底部受け板１０、一対の仕切板１１，１１、多数枚の仕切板１２，…が包装箱本体１の中にセットされた状態で一対の仕切板１１，１１と多数枚の仕切板１２，…とで形成される多数の区画空間内に液収納袋体１４を起立状態で並ぶように挿入する。包装箱本体１の中に挿入された液収納袋体１４の下端は前記底部受け板１０の山型部１７，１７で受けられ、山型部１７，１７に接する部分以外で液収納袋体１４の下側に空間が形成されるようになる。このように一対の仕切板１１，１１と多数枚の仕切板１２，…とで包装箱本体１内に形成される多数の区画空間内に液収納袋体１４が挿入された後、液収納袋体１４の上から液収納袋体１４の上端を保護するように上部保護板１３が被せられる。上部保護板１３は前述のように下向き片２４，２４の溝２５，２５を前記仕切板１２の上端の溝２２，２２に係止させることにより下向き片２４，２４の下端で液収納袋体１４の上端が下向きに押し付けられて上蓋形成用のフラップ６，６および７，７との間に空間が形成されるようになる。つまり、液収納袋体１４は包装箱本体１の中に挿入された状態において上蓋形成用のフラップ６，６および７，７と底板形成用のフラップ４，４および５，５との間に空間が形成されるように下向き片２４，２４と前記山型部１７，１７とで上下から挟まれるものである。
【００１９】
そして、上部保護板１３で液収納袋体１４の上端を押し付けた後、上蓋形成用のフラップ６，６および７，７が閉じられるのであり、そのとき短辺側の対向側板３，３の上端に連設された上蓋形成用のフラップ７，７が先に折り曲げられ、次にこの上蓋形成用のフラップ７，７に重なるように長辺側の対向側板２，２の上端に連設された上蓋形成用のフラップ６，６を折り曲げ、上蓋形成用のフラップ６，６の突き合わせ端面を封緘テープ８で閉じることにより包装完了状態となる。
【産業上の利用可能性】
【００２０】
本発明の包装箱は、使用部品点数の少なく組み立て作業も簡単な緩衝体を用いて、例えば人工透析用の補液を収納する袋体を安定良く収納できる包装箱である。
【符号の説明】
【００２１】
１                      包装箱本体
２，３                  側板
４，５                  底板形成用のフラップ
６，７                  上蓋形成用のフラップ
９                      緩衝体
１０                      底部受け板
１１，１２                仕切板
１３                      上部保護板
１４                      液収納袋体
１５                      スリット
１６ａ，１６ｂ，１６ｃ    折り曲げ線
１７                      山型部
１８                      スリット
１９                      差し込み片
２０                      凹部
２１                      スリット
２２                      溝
２３                      天板部
２４                      下向き片
２５                      溝
【図１】
2010228799.tif 000003
【図２】
2010228799.tif 000004
【図３】
2010228799.tif 000005
【図４】
2010228799.tif 000006
【図５】
2010228799.tif 000007
【図６】
2010228799.tif 000008
【図７】
2010228799.tif 000009
【図８】
2010228799.tif 000010
【図９】
2010228799.tif 000011
【図１０】
2010228799.tif 000012
【図１１】
2010228799.tif 000013
【図１２】
2010228799.tif 000014
【図１３】
2010228799.tif 000015